(57)【要約】【課題】  分割撮影が可能なＸ線撮影システムにおいて、Ｘ線撮影装置とＸ線発生装置とを効率よく連携させ長尺撮影の撮影数変更を容易に行えるようにする。【解決手段】  被写体を所定の撮影数の部分領域毎に分けて撮影する分割撮影を実行するようＸ線撮影装置１１００を制御する制御装置１１０１であって、分割撮影の撮影数を設定する設定手段と、撮影数をＸ線発生装置に対し出力する出力部２００８と、Ｘ線発生装置１２００から前記撮影数を変更する要求を受信する受信部２００９と、受信要求に応じて前記撮影数を変更するか否かを判定する判定部（２００２，２００３）とを有する。【選択図】  図２
2013039197.tif 000002
【特許請求の範囲】
【請求項１】
被写体を所定の撮影数の部分領域毎に分けて撮影する分割撮影を実行するようＸ線撮影装置を制御する制御装置であって、
分割撮影の撮影数を設定する設定手段と、
前記撮影数をＸ線発生装置に対し出力する出力手段と、
Ｘ線発生装置から前記撮影数の変更要求を受信する受信手段と、
前記要求の受信に応じて前記撮影数を変更するか否かを判定する判定手段と、
を有することを特徴とするＸ線撮影装置を制御する制御装置。
【請求項２】
すでに開始された分割撮影についての再撮影を指示する指示手段をさらに有し、
前記指示手段は、前記受信手段が前記Ｘ線発生装置から前記撮影数を変更する要求を受信した後に前記再撮影の指示があった場合には、前記変更要求に応じた変更後の撮影数に応じた分割撮影の設定情報を取得し、
前記受信手段が前記撮影を終了する要求を受信した後に前記再撮影の指示があった場合には、すでに開始された前記分割撮影の撮影枚数に応じた分割撮影の設定情報を取得する
ことを特徴とする請求項１に記載の制御装置。
【請求項３】
前記分割撮影により得られた複数の画像の位置合わせのためのＧＵＩを表示部に表示させる表示制御手段と、をさらに有し、
前記表示制御手段は、前記受信手段が前記撮影を終了する要求を前記撮影数の撮影が終了する前に受信したことに応じて、前記表示部の表示内容を前記位置合わせのためのＧＵＩへと変更する
ことを特徴とする請求項１に記載の制御装置。
【請求項４】
前記表示制御手段はさらに前記Ｘ線撮影装置に関する警告を表示させ、
前記警告の表示中に前記受信手段が前記撮影数を変更する要求を受信した場合、前記警告の表示の種類を判定する遷移判定手段と、
前記表示制御手段は、前記判定に応じて、前記警告に対するユーザの入力を待って前記位置合わせのためのＧＵＩを表示させるか、前記要求の受信に応じて直ちに前記位置合わせのためのＧＵＩを表示させるかを制御する
ことを特徴とする請求項３に記載の制御装置。
【請求項５】
前記Ｘ線撮影装置を制御するための入力を受け付ける操作部と、
前記出力手段は、前記操作部からの入力に応じた前記撮影数の変更指示があった場合に、前記Ｘ線発生装置に対して該撮影数の変更を出力する
ことを特徴とする請求項１乃至４のいずれか１項に記載の制御装置。
【請求項６】
前記分割撮影により得られた画像が写損であるか否かを判定する写損判定手段と、
前記分割撮影の終了前に前記画像が写損であると判定され、その後に前記Ｘ線発生装置から前記撮影数を変更する要求を受信した場合、前記出力手段は該要求に応じた撮影数の変更をしない
ことを特徴とする請求項１乃至５のいずれか１項に記載の制御装置。
【請求項７】
１単位の撮影情報を示す撮影プロトコルを選択する選択手段と、
該撮影プロトコルを選択した後に、該撮影プロトコルを保留状態とする撮影保留手段と、を有し、
前記保留状態とした後に前記Ｘ線発生装置から前記撮影数を変更する要求を受信した場合、前記判定手段は該要求に応じた撮影数の変更をしない
ことを特徴とする請求項１乃至６のいずれか１項に記載の制御装置。
【請求項８】
所定の分割撮影のプロトコルに応じて得られた画像が、前記分割撮影の撮影数分の撮影が終了していないときに前記画像が写損であると判定された場合または前記分割撮影の撮影数分の撮影が終了していないときに該分割撮影のプロトコルが保留状態とされた場合、前記分割撮影を終了状態とする撮影終了手段と、
を有することを特徴とする請求項１乃至７のいずれか１項に記載の制御装置。
【請求項９】
前記設定手段は、前記撮影数を変更すると判定された場合に前記撮影数を変更することを特徴とする請求項１乃至８のいずれか１項に記載の制御装置。
【請求項１０】
請求項１乃至９のいずれか１項に記載の制御装置と、
Ｘ線を検出する検出器と、
を有することを特徴とするＸ線撮影装置。
【請求項１１】
被写体を所定の撮影数の部分領域毎に分けて撮影する分割撮影を実行するようＸ線発生装置を制御する制御装置であって、
分割撮影の撮影数をＸ線撮影装置から受信する受信手段と、
前記撮影数の変更要求を前記Ｘ線撮影装置に対し出力する出力手段と、
前記受信手段は、前記変更要求に応じた変更が行われたか否かを示す情報を前記Ｘ線撮影装置から受信する
ことを特徴とするＸ線撮影装置を制御する制御装置。
【請求項１２】
請求項１乃至９のいずれか１項に記載の制御装置と、Ｘ線を検出し画像を得る検出器と、
を備えるＸ線撮影装置と、
請求項１１に記載の制御装置を備える前記Ｘ線発生装置と、
を有することを特徴とするＸ線撮影システム。
【請求項１３】
被写体を所定の撮影数の部分領域毎に分けて撮影する分割撮影を実行するための制御方法であって、
分割撮影の撮影数を設定するステップと、
前記撮影数をＸ線発生装置に対し出力するステップと、
Ｘ線発生装置から前記撮影数の変更要求を受信するステップと、
前記変更要求に応じて前記撮影数を変更するか否かを判定するステップと、
を有することを特徴とする制御方法。
【請求項１４】
被写体を所定の撮影数の部分領域毎に分けて撮影する分割撮影を実行するようＸ線発生装置を制御する制御方法であって、
分割撮影の撮影数をＸ線撮影装置から受信するステップと、
前記撮影数の変更要求を前記Ｘ線撮影装置に対し出力するステップと、
前記変更要求に応じた変更が行われたか否かを示す情報を前記Ｘ線撮影装置から受信するステップと、
ことを特徴とする制御方法。
【請求項１５】
複数の操作部を有し、被写体を所定の撮影数の部分領域毎に分けて撮影する分割撮影を実行するようＸ線撮影装置システムを制御する制御方法であって、
分割撮影の撮影数を設定するステップと、
第一の操作部を介した入力に応じて該設定された撮影数を変更するステップと、
前記設定された撮影数または前記変更された撮影数をＸ線発生装置に対し出力するステップと、
第二の操作部を介した入力に応じて前記出力された撮影数の変更要求を出力するステップと、
前記第二の操作部を介した入力に応じて出力された前記撮影数の変更要求に合わせて前記設定された撮影数または前記変更された撮影数を変更するか否かを判定するステップと、
を有することを特徴とするＸ線撮影システムの制御方法。
【請求項１６】
請求項１３乃至１５のいずれか１項に記載の制御方法をコンピュータに実行させるためのプログラム。
【発明の詳細な説明】
【技術分野】
【０００１】
本発明は、被写体を透過したＸ線像を撮影するＸ線撮影システムに関するものであり、特に同一被写体を複数回に分けて撮影する際の撮影方法に関する。
【背景技術】
【０００２】
近年、Ｘ線撮影装置を用いた撮影は様々な分野で利用されており、特に医療分野においては診断のための重要な手段の一つとなっている。また、デジタル化が進み、Ｘ線撮影装置で得られる画像データをデジタルデータとして収集する撮像センサが実用化されている。
【０００３】
この撮像センサを利用してＸ線撮影を実施する際、全身や下肢全長など撮像センサよりも大きな領域を撮影することがある。この場合、複数回に分けて撮影を行い、収集した画像データを合成処理することで１枚の大きな画像データを得るという撮影方法が確立されている。この撮影方法は一般に、長尺撮影、スティッチ撮影、分割撮影などと呼ばれている。
【０００４】
上記撮影方法について記載した文献として、特許文献１や特許文献２がある。
【０００５】
この長尺撮影は、放射線技師の操作に基づき、Ｘ線撮影装置とＸ線発生装置が連携しながら撮影を繰り返す。放射線技師は、撮影部位や撮影範囲により撮影枚数を確定し、Ｘ線撮影装置より撮影プロトコルを選択すると、Ｘ線発生装置へ通知され、Ｘ線発生装置は何枚目の撮影かに応じて撮像センサの位置や管球の首振り角度、位置を決定し撮影の準備を行う。
【０００６】
このような長尺撮影は、一般的に、被写体が配置される撮影室と、放射線技師が撮影のための操作を行う操作室に分かれており、放射線技師はそれぞれの部屋を往来し撮影を進行する。その際、放射線技師は、カルテ等の指示により予め操作室で撮影部位や撮影範囲により撮影枚数を確定し撮影プロトコルを選択した後、撮影室に移動し被写体の整位を行う。
【先行技術文献】
【特許文献】
【０００７】
【特許文献１】特開２０１０−２６４１９４
【特許文献２】特開２００９−２４０４６８
【発明の概要】
【発明が解決しようとする課題】
【０００８】
撮影準備中または撮影の最中に状況に合わせて撮影枚数の変更が必要となる場合がある。しかしながら、従来のＸ線撮影システムでは、Ｘ線撮影装置の操作卓より変更を行わなければならない。
また、Ｘ線撮影システムでは、操作室にＸ線撮影装置とＸ線発生装置の操作卓が別々に存在している。このため、Ｘ線発生装置の操作卓で操作中に、撮影枚数の変更が必要と気付いた場合、放射線技師はＸ線撮影装置の操作卓に移動し変更する必要があり、Ｘ線発生装置の操作卓より容易に変更ができない。
【課題を解決するための手段】
【０００９】
そこで本発明の一態様に係るＸ線撮影装置を制御する制御装置は、被写体を所定の撮影数の部分領域毎に分けて撮影する分割撮影を実行するようＸ線撮影装置を制御する制御装置であって、分割撮影の撮影数を設定する設定手段と、前記撮影数をＸ線発生装置に対し出力する出力手段と、Ｘ線発生装置から前記撮影数を変更する要求を受信する受信手段と、前記受信要求に応じて前記撮影数を変更するか否かを判定する判定手段と、を有することを特徴とする。
【発明の効果】
【００１０】
かかる構成により放射線技師は撮影室および操作室のいずれにおいても長尺撮影時の撮影枚数の変更や、撮影終了操作を行うことが可能となる。また、Ｘ線撮影装置およびＸ線発生装置の操作卓いずれにおいても操作が可能となる。これにより、放射線技師は容易に変更や終了操作が行えるため、部屋の移動や操作卓間の移動が低減され撮影フローの効率化を図ることができる。
【図面の簡単な説明】
【００１１】
【図１】Ｘ線撮影システムの構成図である。
【図２】Ｘ線撮影装置制御部の構成図である。
【図３】Ｘ線撮影装置の撮影枚数を変更する要求に対応した処理の流れを示すフローチャートである。
【図４】Ｘ線撮影装置の撮影終了の要求に対応した処理の流れを示すフローチャートである。
【図５】Ｘ線撮影装置の変更要求の受付可否を判定する処理の流れを示すフローチャートである。
【図６】Ｘ線撮影装置の撮影終了の要求の受付可否を判定する処理の流れを示すフローチャートである。
【図７】Ｘ線発生装置の撮影枚数の変更要求に係る処理の流れを示すフローチャートである。
【図８】Ｘ線発生装置の撮影終了の要求に係る処理の流れを示すフローチャートである。
【図９】撮影画面の例を示す図である。
【図１０】合成画面の例を示す図である。
【図１１】撮影枚数の変更要求があった際の画面遷移を示す図である。
【図１２】撮影終了の要求があった際の画面遷移を示す図である。
【図１３】Ｘ線撮影装置の再撮影時の処理のその他の例をフローチャートである。
【図１４】撮影枚数の変更要求があった際の画面遷移のその他の例を示す図である。
【図１５】撮影終了の要求があった際の画面遷移のその他の例を示す図である。
【図１６】Ｘ線撮影装置の画像合成画面へと遷移する際の処理の流れを示すフローチャートである。
【図１７】同期メッセージがあった際の画面遷移を示す図である。
【図１８】非同期メッセージがあった際の画面遷移を示す図である。
【図１９】Ｘ線撮影装置制御部のその他の構成例を示す図である。
【図２０】Ｘ線撮影装置の長尺撮影時の処理のその他の例を示すフローチャートである。
【図２１】撮影枚数の変更があった際のＸ線撮影装置のその他の例を示すフローチャートである。
【発明を実施するための形態】
【００１２】
［実施例１］
本発明をＸ線撮影システムに適用した実施例を図１乃至図１２に基づき説明する。図１に示すＸ線撮影システム１００は、被写体を配置し撮影を行う撮影室１０１０、放射技師が撮影のための操作を行う操作室１０２０にわかれる。更に、撮像センサ１０００を含むＸ線撮影装置１１００、および、Ｘ線センサユニット１００１、Ｘ線を照射するＸ線管球１００２を含むＸ線発生装置１２００から成る。Ｘ線撮影システム１００では長尺撮影が可能であり、Ｘ線撮影装置とＸ線発生装置を効率よく連携して、長尺撮影の撮影枚数変更や、撮影終了を操作者にとって容易になるようシステム全体が制御される。ここで長尺撮影とは被写体を所定の撮影数の部分領域毎に分けて撮影する撮影方法である。なお、適用対象の撮影方法はこれに限らない。たとえば１枚の撮像センサについて、部分領域に対して順次Ｘ線を照射し、１枚の撮像センサでたとえば両手の画像を得るいわゆる分割撮影に対しても適用可能である。本実施例では、分割撮影という用語に長尺撮影及びいわゆる分割撮影を含めることとする。
【００１３】
Ｘ線撮影装置１１００は、撮像センサ１０００と、Ｘ線撮影を制御するＸ線撮影装置制御部１１０１、検査情報や撮影画像を表示するＸ線撮影装置表示部１１０３、Ｘ線撮影装置操作入力部１１０２で構成される。検査情報の入力や、画像処理の操作、検査進行指示等を行うＸ線撮影装置操作入力部１１０２はＸ線撮影装置１１００を制御するための入力を受け付ける第一の操作部である。撮像センサ１０００はＸ線を検出して電気信号に変換するイメージセンサであり、Ｘ線を可視光に変換する蛍光体と、光を電気信号に変換する半導体検出器とを有する。Ｘ線を直接電気信号に変換する半導体検出器であってもよい。またＸ線センサユニット１００１は長尺撮影時に撮像センサ１０００をＸ線管球１００２と連動させて被検体に沿って移動させる不図示の駆動部をさらに有している。
【００１４】
Ｘ線発生装置１２００は、Ｘ線の発生を制御するＸ線発生装置制御部１２０１、Ｘ線センサユニット１００１やＸ線管球１００２の駆動を制御するＸ線発生装置駆動制御部１２０２から構成される。更に、Ｘ線撮影条件等の簡易な情報入力が可能なＸ線発生装置簡易操作入力部１２０３、設定されているＸ線撮影条件等の簡易表示を行うＸ線発生装置簡易表示部１２０４を含み、撮影室１０１０に配置される。また、Ｘ線発生装置１２００の詳細設定や撮影条件の詳細入力等が可能なＸ線発生装置操作入力部１２０５、Ｘ線発生装置１２００の各種詳細情報を表示するＸ線発生装置表示部１２０６が撮影室１０１０に配置される。Ｘ線発生装置操作入力部１２０５は第二の操作部として機能する。なお、Ｘ線発生装置簡易操作入力部１２０３も第二の操作部として機能させてもよい。
【００１５】
Ｘ線発生装置制御部１２０１は、被写体を所定の撮影数の部分領域毎に分けて撮影する分割撮影を実行するようＸ線発生装置を制御する。
【００１６】
Ｘ線発生装置１２００は長尺撮影時に撮像センサ１０００と連動してＸ線管球を被検体に沿って平行移動または照射方向を変更させる不図示の駆動部を有している。この駆動部はさらに、いわゆる分割撮影時には、分割撮影の各撮影に対応する撮像センサ１０００の位置に合わせて照射方向の変更や絞りの制御を行う。
【００１７】
またＸ線発生装置１２００は、撮影数の変更要求や撮影の終了要求をＸ線撮影装置１１００に対して出力する出力部を有している。また、分割撮影の撮影数をＸ線撮影装置から受信するとともに、出力した変更要求に応じた変更が行われたか否かを示す情報を受信する不図示の受信部を有している。これらは、後述するＸ線撮影装置１１００の出力部２００８および受信部２００９とデータのやり取りを行う。
【００１８】
図２に基づき撮影装置の制御部について説明する。図２はＸ線撮影装置制御部１１０１の機能ブロックを示す図である。通信制御部２０００は、Ｘ線発生装置１２００との通信を制御する。通信Ｉ／Ｆ２００７は有線及び／または無線の通信モジュールであり、外部に対して信号その他のデータを出力する出力部２００８と、外部装置からの信号その他のデータを受信する受信部２００９とを有する。出力部２００８はたとえば分割撮影の撮影数をＸ線発生装置制御部１２０１に対し出力する。また出力部２００８は第一の操作部１１０２からの入力に応じた撮影数の変更指示があった場合に、Ｘ線発生装置１２００に対して該撮影数の変更を出力する。また受信部２００９はＸ線発生装置制御部１２０１から撮影数を変更する要求を受信する。
【００１９】
撮影制御部２００１は、Ｘ線撮影の検査の進行や撮影を制御し、検査中の撮影条件を撮影条件記憶部２００５へ保存、検査の進行状態を撮影状態記憶部２００６に保存、撮影した画像を画像記憶部２００４へ保存等の処理を担う。プロトコル選択部２０１２はユーザにより入力されまたは外部装置から入力された患者情報に対して適切な撮影プロトコルを選択する。撮影プロトコルとは撮影部位と撮影条件がセットとなった１単位の撮影情報を示す。操作部を介したユーザの選択や、外部の装置からの入力に応じてプロトコルが選択される。
【００２０】
撮影数設定部２０１３は分割撮影（いわゆる長尺撮影やいわゆる分割撮影）を行う場合の撮影枚数を設定する。通常は撮影プロトコルに関連付けられた値がプロトコル選択に応じて設定されるが、操作部あるいは外部装置からの入力に応じて変更することも可能である。
【００２１】
写損判定部２０１４は撮影済みの画像が写損であるか否かを判定する。判定の方法としては、ユーザが操作部を介して入力した写損であることを示す入力があったか否かにより写損であるか否かを判定する。また、撮影された画像に周知の画像処理アルゴリズムを適用することにより判定することもできる。
【００２２】
再撮影指示部２０１５は、たとえばユーザからの入力に応じて現在撮影中のプロトコルを中断し、または撮影済みのプロトコルについての再撮影する指示を生成する。再撮影する指示により、当該プロトコルで撮影された画像はすべて写損扱いとし、当該プロトコルと同一のプロトコルを生成し、プロトコル選択部２０１２は当該プロトコルを選択する。また、撮影制御部２００１は再撮影のプロトコルをプロトコルキューの一番後ろに登録してもよい。
【００２３】
撮影保留部２０１６はたとえばユーザからの入力に応じて現在撮影中のプロトコル、または検査を保留状態とする。ここで検査とは被検者１人に対して行われる少なくとも１つの撮影の集まりを意味する。保留状態とは、当該撮影プロトコルを中断し保留状態として不図示の記憶部にある保留要のキューに登録する。なお、ここでいうキューは撮影プロトコルや検査に関連付けられたポインタの配列を格納しているだけでもよい。
【００２４】
分割撮影のプロトコルについては、分割撮影が中断し再開させても、被写体の動きや一ずれなどにより適正な長尺画像が得られないことが想定されるため、撮影制御部２００１が保留された場合当該プロトコルを終了状態としてもよい。
【００２５】
撮影終了部２０１７はユーザや外部装置からの終了要求に応じて撮影または検査を終了させる。分割撮影の場合で、複数の撮影のうち一部の撮影が残っている場合に、撮影終了の要求があった場合、撮影終了部２０１７は当該撮影プロトコルまたは検査を終了状態とする。
【００２６】
また、変更要求受付可否判定部２００２は、撮影枚数変更の要求の受信に応じて撮影数を変更するか否かを判定する。撮影状態記憶部２００６の情報を取得し、長尺撮影の撮影枚数変更要求を受付可能か判定する。通信制御部２０００で長尺撮影の撮影枚数の変更要求を受信した際、撮影制御部２００１を介して変更要求受付可否判定部２００２へ処理が要求される。終了要求受付可否判定部２００３は、撮影状態記憶部２００６の情報を取得し、長尺撮影の終了要求を受付可能か判定する。通信制御部２０００で長尺撮影の撮影終了要求を受信した際、撮影制御部２００１を介して終了要求受付可否判定部２００３へ処理が要求される。
【００２７】
表示制御部２０１０はＸ線撮影装置表示部１１０３の表示内容を制御する。具体的には、図９は図１０の操作用画面を表示させるとともにユーザや外部からの入力に応じて表示を制御する。たとえば表示制御部２０１０は、前記分割撮影により得られた複数の画像の位置合わせのためのＧＵＩ（合成画面４０００）を表示させる。また、図１１または図１２に示すような画面を遷移させる制御を行う。遷移判定部２０１１は表示画面をある画面から他の画面に変更してもよいか否かを判定する。また判定の結果を表示制御部２０１０や撮影制御部２００１に通知する。
【００２８】
上述の構成を有するＸ線撮影装置１１００の処理について以下説明する。
図３に基づきＸ線撮影装置１１００がＸ線発生装置１２００から撮影枚数の変更要求を受信する際の処理を説明する。図３は、本実施例のＸ線撮影装置１１００の撮影枚数変更要求受信時のフローチャートである。要求の出力元のＸ線発生装置１２００の処理の流れは図７に基づき後述する。
【００２９】
まず、Ｘ線撮影装置操作入力部１１０２（第一の操作部）または外部装置からの指示に応じてプロトコル選択部２０１２が長尺撮影プロトコルの表示部３００２に表示されたプロトコルを選択する（Ｓ１００）。撮影制御部２００１は撮影条件記憶部２００５に撮影条件を記憶する。撮影数設定部２０１３は選択されたプロトコルに関連付けられた情報から撮影数の情報を取得し、撮影数を設定する。更に撮影制御部２００１は当該選択された長尺撮影プロトコルが開始状態となったことを撮影状態記憶部２００６に記憶させる。そして、通信制御部２０００に長尺撮影の開始を通知する。通信制御部２０００は、長尺撮影の開始を受け、Ｘ線発生装置１２００へ長尺撮影開始および全撮影枚数（３枚）の通知を出力部２００８に出力させる（Ｓ１０１）。その後、受信部２００９はＸ線発生装置１２００のＸ線発生装置操作入力部（第二の操作部）を介した入力に応じて出力された全撮影枚数の変更要求（２枚）を受信する（Ｓ１０２）。通信制御部２０００はその旨を通知し、撮影制御部２００１を介し、変更要求受付可否判定部２００２に変更要求の受付が可能か問い合わせる。すると、変更要求受付可否判定部２００２は、受信要求に応じて撮影数を変更するか否かを判定する（Ｓ１０３）。変更要求受付可否判定部２００２は変更要求受付が可能か否かを判定する処理を行う。
【００３０】
変更要求受付可否判定部２００２の判定結果より、撮影枚数の変更要求を受付可能かチェックする（Ｓ１０４）。撮影制御部２００１は変更可能な場合、通信制御部２０００に変更要求を受付けたことを通知する。すると、通信制御部２０００はＸ線発生装置１２００へ撮影枚数の変更要求を受付けたことを出力部２００８に出力させる（Ｓ１０５）。更に、撮影数設定部２０１３は受け付けた変更要求に応じて撮影数を変更し、前記撮影数を変更すると判定された場合に前記撮影数を変更する。撮影制御部２００１は、撮影条件記憶部２００５に変更後の情報を保存し、Ｘ線撮影装置表示部１１０３に表示の更新を指示する（Ｓ１０７）。Ｓ１０４で変更要求の受付不可の場合、撮影制御部２００１は、通信制御部２０００へ変更要求の受付ができないことを通知する。すると、通信制御部２０００はＸ線発生装置１２００へ撮影枚数の変更要求を受付けられなかったことを通知する（Ｓ１０６）。ここでは、３枚から２枚への変更要求を受付けられたため、Ｘ線発生装置１２００へは正常に受付けたことが通知される。
【００３１】
なお、その際の撮影画面３０００の表示の変更及び画面の遷移は、表示制御部２０１０の制御に応じて図１１に示すようになる。図１１（ａ）の長尺撮影プロトコルの残枚数表示部３００４が残数３枚から、図１１（ｂ）のように２枚に更新される。そして、撮影済画像数と全撮影枚数が一致するまで（Ｓ１０９）、撮影を繰り返す（Ｓ１０８）。撮影画面３０００の遷移は、図１１（ｂ）から図１１（ｃ）となり、撮影した画像がプレビュー画像表示部３００１、およびサムネイル画像表示部３００３に表示される。全撮影枚数の撮影が終了すると、合成画面へ自動遷移する設定か否かをチェックする（Ｓ１１０）。ここでは、全撮影枚数が３枚から２枚へ変更されたため２枚撮影すると全撮影終了となり、合成画面への自動遷移チェックが行われる。自動遷移が有効な場合は、合成画面４０００を表示する（Ｓ１１１）。その際の画面遷移は図１１（ｃ）から図１１（ｄ）のようになる。合成画面４０００で調整を行い、ＯＫボタン４００９を押下すると合成処理が行われ（Ｓ１１２）、更に画像記憶部２００４へ合成画像が保存される（Ｓ１１３）。その後、撮影制御部２００１は通信制御部２０００に長尺撮影の終了を通知すると、撮影制御部２００１はＸ線発生装置１２００へ長尺撮影終了を通知する（Ｓ１１４）。
【００３２】
次に、図１、図２、図４、図６、図８、図９、図１０、図１２を用いて本実施例の長尺撮影時の撮影終了について全体の流れを説明する。
【００３３】
被写体が動いてしまった、撮影済み画像に必要な範囲が含まれる等の理由から途中で撮影を終了することがある。この場合も、Ｘ線発生装置の操作卓より容易に終了ができない。また、Ｘ線撮影装置より途中で長尺撮影を終了する際、Ｘ線発生装置へ終了を通知し、次の撮影をするための準備を予め進めることで撮影フローの効率化が期待される。
【００３４】
放射線技師は、長尺撮影を開始するため、操作室１０２０においてＸ線撮影装置操作入力部１１０２、およびＸ線撮影装置表示部１１０３を用いて検査情報の入力を行い、検査を開始する。そして、全撮影枚数が３枚の長尺撮影プロトコルを選択した後、撮影室１０１０へ移動し、被写体を整位する。その際、被写体の身長から３枚ではなく２枚で必要な領域が十分撮影可能と判定したとする。すると、放射線技師は、Ｘ線発生装置簡易操作入力部１２０３、およびＸ線発生装置簡易表示部１２０４を用いて撮影枚数の変更操作を行う。
【００３５】
図４は、本実施例のＸ線撮影装置１１００の撮影終了要求受信時のフローチャートである。なお撮影の終了要求とは、現在終了済みの撮影数を持って分割撮影等を終了させる要求であり、撮影数の変更要求の特殊な場合と捉えることができる。
【００３６】
放射線技師は、長尺撮影プロトコルの撮影を進行中に撮影済画像に必要な領域が全て含まれるため、２枚目の撮影で終了してよいと判定したとする。すると、放射線技師は、Ｘ線発生装置操作入力部１２０５、およびＸ線発生装置表示部１２０６を用いて撮影の終了操作を行う。
【００３７】
その際のＸ線撮影装置１１００の詳細について以下に示す。
【００３８】
まず、長尺撮影プロトコルが選択（Ｓ２００）されると、撮影制御部２００１は撮影条件記憶部２００５に撮影条件を記憶し、更に撮影状態記憶部２００６に長尺撮影プロトコルの開始を記憶する。そして、通信制御部２０００に長尺撮影の開始を通知する。通信制御部２０００は、長尺撮影の開始を受け、Ｘ線発生装置１２００へ長尺撮影開始および全撮影枚数（３枚）の通知を行う（Ｓ２０１）。そして、撮影済画像数と全撮影枚数が一致するまで、撮影を繰り返す（Ｓ２０２）。２枚目の撮影終了後、全撮影枚数に達していない状態で通信制御部２０００は、Ｘ線発生装置１２００より長尺撮影の終了要求および撮影終了枚数（２枚）を受信する（Ｓ２０３）。そして、撮影制御部２００１を介し、終了要求受付可否判定部２００３に終了要求の受付が可能か問い合わせる。すると、終了要求受付可否判定部２００３は、終了要求受付が可能かの判定処理を行う（Ｓ２０４）。
【００３９】
終了要求受付可否判定部２００３の判定結果より、撮影終了要求を受付可能かチェックする（Ｓ２０５）。撮影制御部２００１は終了可能な場合、通信制御部２０００に終了要求を受付けたことを通知する。すると、通信制御部２０００はＸ線発生装置１２００へ撮影終了要求を受付けたことを通信Ｉ／Ｆ２００７を介して通知させる（Ｓ２０６）。Ｓ２０５で終了要求の受付不可の場合、撮影制御部２００１は、通信制御部２０００に終了要求の受付ができないことを通知する。すると、通信制御部２０００はＸ線発生装置１２００へ撮影終了要求を受付けられなかったことを通知する（Ｓ２０７）。ここでは、終了枚数２枚で終了要求を受付けられたため、Ｘ線発生装置１２００へは正常に受付けたことが通知される。終了要求受付可により全撮影終了とみなされ、合成画面へ自動遷移する設定か否かをチェックする（Ｓ２０８）。自動遷移が有効な場合表示制御部２０１０は、受信部２００９が終了要求を撮影が終了する前に受信したことに応じて、表示部１１０３の表示内容を撮影のためのＧＵＩ（撮影画面３０００）位置合わせのためのＧＵＩ（合成画面４０００）へと変更する。
【００４０】
合成画面４０００を表示する（Ｓ２０９）。なお、撮影枚数が２枚で撮影終了要求が行われた場合の画面の表示変更及び画面の遷移は、表示制御部２０１０の制御に応じて図１２に示すようになる。図１２（ａ）の撮影画面３０００により長尺撮を開始し、図１２（ｂ）の撮影画面３０００の状態で撮影終了要求を受付ける。すると、合成画面への自動遷移が有効であれば、図１２（ｃ）の合成画面４０００へ遷移し、合成処理操作が可能となる。合成画面４０００で調整を行い、ＯＫボタン４００９を押下すると合成処理が行われ（Ｓ２１０）、更に画像記憶部２００４へ合成画像が保存される（Ｓ２１１）。その後、撮影制御部２００１は通信制御部２０００に長尺撮影の終了を通知すると、撮影制御部２００１はＸ線発生装置１２００へ長尺撮影終了を通知する（Ｓ２１２）。
【００４１】
図５は、本実施例の撮影枚数変更要求受付可否を判定するフローチャートであり、図５に基づき変更要求受付可否判定部２００２の詳細について説明する。
【００４２】
変更要求受付可否判定部２００２は、長尺撮影枚数の変更要求（２枚）を受けると（Ｓ３００）、撮影状態記憶部２００６より撮影状態を取得する（Ｓ３０１）。なお、取得した撮影状態には、撮影中のプロトコル情報、および撮影済画像数を含む進捗情報が含まれるものとする。取得した撮影状態から長尺撮影中か否かチェックする（Ｓ３０２）。長尺撮影中でない場合は、変更要求受付不可と判定する（Ｓ３０６）。ここでは、長尺撮影プロトコルを選択し撮影中であるため、長尺撮影中と判定される。次に、取得した撮影状態に含む撮影済画像数が０枚か否かをチェックする（Ｓ３０３）。０枚即ち未撮影の場合は、変更要求受付可と判定する（Ｓ３０５）。ここでは、１枚も撮影していなため、変更要求受付可と判定される。なお、既に１枚でも撮影した場合は、撮影済画像数よりも要求された全撮影枚数が大きいかをチェックする（Ｓ３０４）。要求された全撮影枚数が大きい場合は、変更要求受付可と判定する（Ｓ３０５）。しかし、要求された全撮影枚数が撮影済画像数以下の場合は、変更要求受付不可と判定する（Ｓ３０６）。
【００４３】
図６は、本実施例の撮影終了要求受付可否を判定するフローチャートで、図２の終了要求受付可否判定部２００３に関する。
【００４４】
終了要求受付可否判定部２００３の詳細について説明する。終了要求受付可否判定部２００３は、撮影終了要求および撮影終了枚数（２枚）を受けると（Ｓ４００）、撮影状態記憶部２００６より撮影状態を取得する（Ｓ４０１）。なお、取得した撮影状態には、撮影中のプロトコル情報、および撮影済画像数を含む進捗情報が含まれるものとする。取得した撮影状態から長尺撮影中か否かチェックする（Ｓ４０２）。長尺撮影中でない場合は、終了要求受付不可と判定する（Ｓ４０５）。ここでは、長尺撮影プロトコルを選択し撮影中であるため、長尺撮影中と判定される。次に、取得した撮影状態に含む撮影済画像数と要求された撮影終了枚数が一致するか否かをチェックする（Ｓ４０３）。一致している場合は、終了要求受付可（Ｓ４０４）、一致していない場合は、終了要求受付不可と判定する（Ｓ４０５）。ここでは、撮影済画像数が２枚、要求された撮影終了枚数が２枚で一致しているため、終了要求受付可と判定される。
【００４５】
図７は、本実施例のＸ線発生装置１２００の撮影枚数変更要求時のフローチャートである。
【００４６】
まず、Ｘ線発生装置１２００の不図示の受信部は、通信Ｉ／Ｆ２００７から長尺撮影の開始および全撮影枚数（３枚）を受信する（Ｓ１１００）。受信した撮影枚数に基づき、Ｘ線管球１００２の角度や位置等を設定する撮影準備を行う（Ｓ１１０１）。放射線技師が被写体の身長から３枚ではなく２枚で必要領域の撮影が可能と判断すると、Ｘ線発生装置簡易操作入力部１２０３、およびＸ線発生装置簡易表示部１２０４を用いて撮影枚数の変更を行う。すると、Ｘ線発生装置制御部１２０１の不図示の出力部は、撮影数の変更要求をＸ線撮影装置１１００の通信Ｉ／Ｆ２００７に対して全撮影枚数変更要求（２枚）を出力する（Ｓ１１０２）。さらに不図示の受信部は、変更要求に応じた変更が行われたか否かを示す情報をＸ線撮影装置１１００の通信Ｉ／Ｆ２００７から変更要求が受付けられたか否かの結果を受信し（Ｓ１１０３）、要求が受付けられたかをチェックする（Ｓ１１０４）。要求が受付けられた場合は、要求した全撮影枚数に更新し、Ｘ線管球や角度の位置、センサユニット等の調整を行う（Ｓ１１０５）。その後、全撮影枚数に達するまで撮影が繰り返され（Ｓ１１０６）、全撮影が終了すると通信制御部２０００より長尺撮影終了通知を受信すると（Ｓ１１０７）、必要な長尺撮影終了処理を行い（Ｓ１１０８）、次の撮影要求が受付け可能となる。
【００４７】
また、本実施例ではＸ線発生装置簡易操作入力部１２０３、およびＸ線発生装置簡易表示部１２０４を用いて変更操作を行ったが、Ｘ線発生装置操作入力部１２０５、およびＸ線発生装置表示部１２０６でも同様の変更操作が可能である。
【００４８】
更に、本実施例では長尺撮影において未撮影状態で撮影枚数を変更する際の全体の流れを示したが、撮影開始後も同様に撮影枚数を変更することが可能である。
【００４９】
図８は、本実施例のＸ線発生装置１２００の撮影終了要求時のフローチャートである。
【００５０】
まず、Ｘ線発生装置１２００は、通信制御部２０００より長尺撮影の開始および全撮影枚数（３枚）を受信すると（Ｓ１２００）、受信した撮影枚数に基づき、Ｘ線管球１００２の角度や位置、Ｘ線センサユニット１００１等の撮影準備を行う（Ｓ１２０１）。その後、全撮影枚数に達するまで撮影を繰り返す途中で（Ｓ１２０２）、放射線技師が必要な領域が全て含まれるため、２枚目の撮影で終了してよいと判定すると、Ｘ線発生装置操作入力部１２０５、およびＸ線発生装置表示部１２０６を用いて撮影終了操作を行う。すると、Ｘ線発生装置制御部１２０１は、通信制御部２０００に対して撮影終了枚数を２枚として撮影終了要求を行う（Ｓ１２０３）。終了要求が受付けられたか否かの結果を受信し（Ｓ１２０４）、要求が受付けられたかをチェックする（Ｓ１２０５）。要求が受付けられない場合は、全撮影枚数に達するまで撮影を繰り返す（Ｓ１２０６）。要求が受付けられると全撮影終了となり、通信制御部２０００より長尺撮影終了通知を受信する（Ｓ１２０７）。そして、必要な長尺撮影終了処理を行い（Ｓ１２０８）、次の撮影要求が受付け可能となる。
【００５１】
また、本実施例ではＸ線発生装置操作入力部１２０５、およびＸ線発生装置表示部１２０６を用いて終了操作を行ったが、Ｘ線発生装置簡易操作入力部１２０３、およびＸ線発生装置簡易表示部１２０４でも同様の終了操作が可能である。
【００５２】
図９は、撮影画面の一例を示し、Ｘ線撮影装置表示部１１０３に表示される。撮影画面３０００は、撮影した画像を表示するプレビュー画像表示部３００１、患者情報を確認する患者情報票表示部３００７、撮影プロトコルの一覧を表示する撮影プロトコルリスト表示部３０１４から成る。また、撮影画面３０００は、被写体の体動検知等による再撮影を容易にする再撮影ボタン３００９、不要な撮影画像を破棄する写損ボタン３０１０、画像処理調整画面へ遷移する画像調整ボタン３０１１が設けられている。更に、進行中の検査を保留扱いにする検査保留ボタン３０１２、検査を終了する検査終了ボタン３０１３から成る。
【００５３】
また、患者情報表示部３００７には編集ボタン３００８が設けられ、患者情報の変更ができる。
【００５４】
長尺撮影を行う際、撮影プロトコルリスト表示部３０１４には撮影プロトコルの表示３００２に長尺撮影のプロトコルが表示される。長尺撮影プロトコルの表示部３００２は、撮影画像のサムネイルを表示するサムネイル画像表示部３００３、長尺撮影の残枚数を表示する残枚数表示部３００４、合成画像を表示する合成画像表示部３００５、合成画像を生成する画面へ遷移する合成ボタン３００６から構成される。
【００５５】
再撮影ボタン３００９の押下に応じて再撮影指示部２０１５は再撮影のプロトコルを生成し、再撮影に入る。写損ボタン３０１０の押下に応じて写損判定部２０１４は画像が写損であることを判定する。検査保留ボタン３０１２の押下に応じて撮影保留部２０１６は検査を保留状態とする。検査終了ボタン３０１３に押下に応じて検査が終了状態とされる。
【００５６】
図１０は、合成画面の一例を示し、Ｘ線撮影装置表示部１１０３に表示される。合成画面４０００は、合成画像を表示する合成画像プレビュー表示部４００１、合成画像のサムネイルを表示する合成画像サムネイル表示部４００５から構成される。また、合成画像を拡大する拡大ボタン４００２、縮小する縮小ボタン４００３、各種画像調整を行う画面へ遷移する画像調整ボタン４００４、合成する各画像を自動配置する自動配置ボタン４００６、配置位置を微調整する上下左右ボタン４００７が設けられている。更に、処理を反映せずに画面を閉じるキャンセルボタン４００８、処理を反映し合成画像を生成して画面を閉じるＯＫボタン４００９が配置される。
【００５７】
本実施例により、放射線技師は撮影室および操作室のいずれにおいても長尺撮影時の撮影枚数の変更や、撮影終了操作を行うことが可能となる。また、Ｘ線撮影装置およびＸ線発生装置の操作卓いずれにおいても操作が可能となる。これにより、放射線技師は容易に変更や終了操作が行えるため、部屋の移動や操作卓間の移動が低減され撮影フローの効率化を図ることができる。
【００５８】
［実施例２］
次に、長尺撮影時に被写体が動いてしまった等の理由による再撮影に対応する実施例について以下に述べる。システムの構成は実施例１と同様であるため説明を省略する。本実施例に係るＸ線撮影システムは実施例１の処理に加えて以下の処理を実行することができる。
【００５９】
放射線技師は、長尺撮影の結果、被写体の体動検知等により正しく合成ができない、撮影領域が不足している等の理由により再撮影が必要と判定すると、Ｘ線発生装置簡易操作入力部１２０３、およびＸ線発生装置簡易表示部１２０４を用いて再撮影の操作を行う。
【００６０】
再撮影指示部２０１５は、受信部２００９がＸ線発生装置１２００の制御部１２０１から撮影数を変更する要求を受信した後に再撮影の指示があった場合には、変更後の撮影枚数に応じた分割撮影の設定情報を生成する。
【００６１】
前記受信手段が前記撮影を終了する要求を受信した後に前記再撮影の指示があった場合には、前記すでに開始された分割撮影の撮影枚数に応じた分割撮影の設定情報を取得する
その際のＸ線撮影装置１１００の詳細について以下に示す。
【００６２】
図１３は、本実施例のフローチャートで、図２の撮影制御部２００１に関する。放射線技師は、長尺撮影の再撮影が必要と判定すると撮影画面３０００の再撮影ボタン３００９を押下する。すると、再撮影指示部２０１５は、長尺撮影の再撮影要求を検知し（Ｓ７００）、撮影条件記憶部２００５より要求された長尺撮影の撮影条件を生成する。撮影条件の情報にはＸ線発生装置１２００より撮影枚数変更要求を受付けたか否か、撮影終了要求を受付けたか否かの情報を含む。撮影制御部２００１は、再撮影要求された長尺撮影がＸ線発生装置１２００より撮影終了要求を受付けたかをチェックする（Ｓ７０１）。Ｓ７０１で撮影終了要求を受付けていない場合、撮影制御部２００１は、Ｘ線発生装置１２００より撮影枚数変更要求を受付けたかをチェックする（Ｓ７０２）。Ｓ７０２で撮影変更要求を受付けたと判定した場合、再撮影指示部２０１５は、変更後の撮影枚数で長尺撮影プロトコルを生成する（Ｓ７０３）。また、Ｓ７０１で撮影終了要求を受付けたと判定した場合、および、Ｓ７０２で撮影枚数変更要求を受付けていないと判定した場合、再撮影指示部２０１５は、オリジナルの撮影枚数で長尺撮影プロトコルを生成する（Ｓ７０４）。なお、再撮影指示部２０１５は新たに撮影プロトコルを生成せずとも、撮影条件記憶部２００５に記憶された撮影プロトコルから適切なものを取得することとしてもよい。
【００６３】
図１４は、本実施例における撮影枚数変更要求受付後の再撮影時の画面遷移の一例であり、Ｘ線撮影装置表示部１１０３に表示される。
【００６４】
例えば、全撮影枚数３枚に対して全撮影枚数２枚への撮影変更要求を行った長尺撮影プロトコルを再撮影した場合、撮影プロトコルリスト表示部３０１４は図１４のように画面遷移する。撮影開始時は全撮影枚数３枚なので残枚数表示部３００４は図１４（ａ）に示すように残数３枚と表示される。この状態でＸ線発生装置１２００より撮影枚数変更要求で２枚に変更することを受付けると、残枚数表示部３００４は図１４（ｂ）のように残数２枚と表示される。撮影を繰り返し合成画像生成後の図１４（ｃ）の状態で、放射線技師により再撮影ボタン３００９が押下されると、図１４（ｄ）のように撮影済みの画像が写損扱いになり、新たに全撮影枚数２枚の長尺撮影プロトコルが生成される。
【００６５】
図１５は、本実施例における終了更要求受付後の再撮影時の画面遷移の一例であり、Ｘ線撮影装置表示部１１０３に表示される。
【００６６】
また、例えば、全撮影枚数３枚に対して撮影枚数２枚で撮影終了要求を行った長尺撮影プロトコルを再撮影した場合、撮影プロトコルリスト表示部３０１４は図１５のように画面遷移する。撮影開始時は全撮影枚数３枚なので残枚数表示部３００４は図１５（ａ）に示すように残数３枚と表示される。撮影を開始し撮影枚数が２枚の図１５（ｂ）の状態で、Ｘ線発生装置１２００より撮影終了要求を受付けると合成画像生成後に図１５（ｃ）へ遷移する。この状態で放射線技師により再撮影ボタン３００９が押下されると、図１５（ｄ）のように撮影済みの画像が写損扱いになり、新たに全撮影枚数３枚の長尺撮影プロトコルが生成される。
【００６７】
本実施例により、放射線技師が再撮影を行う際、Ｘ線発生装置１２００より撮影枚数の変更を行った場合は変更後の撮影枚数で長尺撮影プロトコルが生成されるため、再度撮影変更を行う手間が省ける。また、Ｘ線発生装置１２００より撮影終了を行った場合は、元の撮影枚数で長尺撮影プロトコルを生成するため、被写体の体動検知等による再撮影が容易となる。
【００６８】
［実施例３］
次に、Ｘ線撮影装置１１００の状態に応じて撮影終了要求受付後の合成画面遷移を制御する実施例について以下に述べる。システムの構成は実施例１と同様であるため説明を省略する。本実施例に係るＸ線撮影システムは実施例１及び／または実施例２の処理に加えて、以下の処理を実行することができる。
【００６９】
実施例１で示したように、放射線技師が撮影終了操作を行うと、Ｘ線発生装置１２００より非同期で撮影終了要求が行われる。そして、撮影終了要求受付可と判定し、合成画面４０００へ遷移するが、この時、撮影画面３０００上にメッセージ画面が表示されていて合成画面４０００への遷移を制御しなければならないことがある。このＸ線撮影システム１００のＸ線撮影装置１１００またはＸ線発生装置１２００に関する警告は、表示制御部２０１０により表示部１１０３に表示される。
【００７０】
遷移判定部２０１１は、警告の表示中に受信部２００９が撮影数を変更する要求を受信した場合、警告の表示の種類を判定する。
【００７１】
そして表示制御部２０１０は、この判定に応じて、警告に対するユーザの入力を待って位置合わせのためのＧＵＩ（合成画面４０００）を表示させるか、要求の受信に応じて直ちに位置合わせのためのＧＵＩ（合成画面４０００）を表示させるかを制御する。
【００７２】
その際のＸ線撮影装置１１００の詳細について以下に示す。図１６は、本実施例のフローチャートで、図２の撮影制御部２００１に関する。
【００７３】
例えば、全撮影枚数が３枚の長尺撮影に対して２枚撮影後にＸ線発生装置１２００より、撮影終了要求が行われたとする。すると、撮影制御部２００１は、終了要求の受付が可能か問い合わせを行い、その結果終了要求受付可となると（Ｓ８００）、終了枚数が１より大きいかをチェックする（Ｓ８０１）。撮影済画像が１枚以下の場合、合成処理は不要なため遷移判定部２０１１は合成画面遷移不要と判定する（Ｓ８０８）。撮影済画像が２枚以上の場合、撮影制御部２００１は合成画面への自動遷移が有効に設定されているか否をチェックする（Ｓ８０２）。無効な場合は、合成画面へ自動で遷移する必要がないので、合成画面遷移不要と判定する（Ｓ８０８）。有効な場合、撮影制御部２００１はＸ線撮影装置表示部１１０３にメッセージダイアログが表示中か否かをチェックする（Ｓ８０３）。メッセージダイアログが表示されていない場合は、合成画面へ遷移して問題ないため、合成画面へ遷移すると判定する（Ｓ８０７）。メッセージダイアログが表示されている場合は、表示されているメッセージが放射線技師の操作に同期して表示された同期メッセージなのか、操作と無関係に非同期で表示されたメッセージなのかをチェックする（Ｓ８０４）。操作に同期して表示された場合、放射線技師の確認による操作が次の処理に影響する場合がある。例えば、警告を無視して画像処理を続行する旨のメッセージの場合は、放射線技師がＯＫすると画像処理が実行され、キャンセルすると何もせず戻るため、合成画面遷移後の画像に影響することがある。そのため、Ｓ８０４で同期メッセージと判定した場合は、ユーザ確認待ち状態となる（Ｓ８０５）。そして、放射線技師によるメッセージ確認後メッセージダイアログを閉じ選択に基づいた処理を適宜行った後（Ｓ８０６）、合成画面へ遷移すると判定する（Ｓ８０７）。Ｓ８０４で非同期メッセージと判定した場合、非同期メッセージは、例えば転送に失敗した等、いつ確認しても次の操作に影響を与えないため、メッセージダイアログを表示したまま、合成画面へ遷移すると判定する（Ｓ８０７）。
【００７４】
図１７は、本実施例における同期メッセージ表示中に撮影終了要求を受付けた場合の画面遷移の一例であり、Ｘ線撮影装置表示部１１０３に表示される。
【００７５】
例えば、図１７（ａ）に示されるように、同期メッセージダイアログ３１００が表示されている状態で撮影終了要求を受付けた場合、すぐに合成画面４０００へは遷移せず、放射線技師による確認を待つ。放射線技師がＯＫボタンまたは、キャンセルボタン押下すると、同期メッセージダイアログ３１００を閉じ、選択に応じた処理完了後、図１７（ｂ）の合成画面４０００へ遷移する。合成画面４０００を閉じると図１７（ｃ）の撮影画面３０００へ遷移する。この時、同期メッセージダイアログ３１００は閉じた状態である。
【００７６】
図１８は、本実施例における非同期メッセージ表示中に撮影終了要求を受付けた場合の画面遷移の一例であり、Ｘ線撮影装置表示部１１０３に表示される。
上述の場合に対して、例えば図１８（ａ）に示されるように非同期メッセージダイアログ３２００が表示されている状態で撮影終了要求を受付けた場合、非同期メッセージダイアログ３２００を表示したまま、図１９  （ｂ）の合成画面４０００へ遷移する。合成画面４０００を閉じると図１８（ｃ）の撮影画面３０００へ遷移し、非同期メッセージダイアログ３２００は表示された状態で、メッセージの内容が確認できる。
【００７７】
ここでは、同期メッセージダイアログ３１００が表示されている場合は、一律ユーザの確認待ち状態となる実施例を示したが、更に分類し、合成画像の生成に影響しない場合は、非同期メッセージダイアログ３２００表示時と同様の処理をしてもよい。
【００７８】
本実施例により、撮影画面３０００にメッセージが表示されている状態で撮影終了要求を受けた場合の合成画面４０００へ遷移が、円滑に行われる。
【００７９】
［実施例４］
撮影終了要求を撮影変更要求に統合した場合の実施例について以下に述べる。
【００８０】
図１９は、実施例４におけるＸ線撮影システム機能の構成図であり、Ｘ線撮影装置制御部１１０１の一部である。なお、図２の符号と同じものは同一のものを示す。本実施例において、撮影枚数の変更および撮影終了が必要と判定した際の放射線技師の操作は、実施例１と同様であり、Ｘ線撮影装置制御部１１０１とＸ線発生装置制御部１２０１とのやり取りが一部異なる。実施例１においては長尺撮影時の全撮影枚数変更要求と撮影終了要求はそれぞれ異なる要求とみなしていたが、本実施例では、撮影終了要求を撮影枚数変更要求と共通の要求で行う。
【００８１】
例えば、放射線技師が、長尺撮影プロトコルの撮影を進行中に撮影済画像に必要な領域が全て含まれるため、２枚目の撮影で終了してよいと判定したとする。すると、放射線技師は、Ｘ線発生装置操作入力部１２０５、およびＸ線発生装置表示部１２０６を用いて撮影終了操作を行う。
【００８２】
図２０は、本実施例のＸ線撮影装置１１００のフローチャートである。
【００８３】
まず、長尺撮影プロトコルの表示部３００２に表示されたプロトコルが選択（Ｓ５００）されると、撮影制御部２００１は撮影条件記憶部２００５に撮影条件を記憶し、更に撮影状態記憶部２００６に長尺撮影プロトコルの開始を記憶する。そして、通信制御部２０００に長尺撮影の開始を通知する。通信制御部２０００は、長尺撮影の開始を受け、Ｘ線発生装置１２００へ長尺撮影開始および全撮影枚数（３枚）の通知を行う（Ｓ５０１）。そして、撮影済画像数と全撮影枚数が一致するまで、撮影を繰り返す。２枚目の撮影終了後、全撮影枚数に達していない状態で通信制御部２０００は、Ｘ線発生装置制御部１２０１より変更要求および変更枚数（２枚）を受付ける（Ｓ５０２）。その後、撮影制御部２００１を介し、要求受付可否判定部２１００に変更要求の受付が可能か問い合わせる。すると、要求受付可否判定部２１００は、要求受付が可能かの判定処理を行う（Ｓ５０３）。
【００８４】
要求受付可否判定部２１００の判定結果より、要求を受付け可能かチェックする（Ｓ５０４）。撮影制御部２００１は要求受付け可能な場合、通信制御部２０００に要求を受付けたことを通知する。すると、通信制御部２０００はＸ線発生装置１２００へ要求を受付けたことを通知する（Ｓ５０５）。Ｓ５０４で要求の受付不可となった場合、撮影制御部２００１は、通信制御部２０００に要求の受付ができないことを通知する。すると、通信制御部２０００はＸ線発生装置１２００へ要求を受付けられなかったことを通知する（Ｓ５０６）。ここでは、終了要求受付可と判定されているため、Ｘ線発生装置１２００へは正常に受付けたことが通知される。次に撮影制御部２００１は、受付けた要求が撮影枚数変更要求なのか撮影終了要求なのかを判定する（Ｓ５０７）。Ｓ５０７で撮影枚数変更要求と判定されると、撮影制御部２００１は、撮影条件記憶部２００５に変更後の情報を保存し、Ｘ線撮影装置表示部１１０３に表示の更新を指示する（Ｓ５０８）。Ｓ５０７で撮影終了要求と判定されるか、または、全撮影枚数に達するまで撮影を繰り返し（Ｓ５０９）撮影が終了したと判定されると（Ｓ５１０）、合成画面へ自動遷移する設定か否かをチェックする（Ｓ５１１）。自動遷移が有効な場合は、合成画面４０００を表示する（Ｓ５１２）。合成画面４０００で調整を行い、ＯＫボタン４００９を押下すると合成処理が行われ（Ｓ５１３）、更に画像記憶部２００４へ合成画像が保存される（Ｓ５１４）。その後、撮影制御部２００１は通信制御部２０００に長尺撮影の終了を通知すると、撮影制御部２００１はＸ線発生装置１２００へ長尺撮影終了を通知する（Ｓ５１５）。
【００８５】
ここで、要求受付可否判定部２１００の詳細について説明する。図２１は、本実施例の要求受付可否を判定するフローチャートで、図１９の要求受付可否判定部２１００に関する。要求受付可否判定部２１００は、変更要求および変更枚数（２枚）を受けると（Ｓ６００）、撮影状態記憶部２００６より撮影状態を取得する（Ｓ６０１）。なお、取得した撮影状態には、撮影中のプロトコル情報、および撮影済画像数を含む進捗情報が含まれるものとする。取得した撮影状態から長尺撮影中か否かチェックする（Ｓ６０２）。長尺撮影中でない場合は、変更要求受付不可と判定する（Ｓ６０８）。ここでは、長尺撮影プロトコルを選択し撮影中であるため、長尺撮影中と判定される。次に、取得した撮影状態に含まれる撮影済画像数が０枚か否かをチェックする（Ｓ６０３）。０枚即ち未撮影の場合は、撮影枚数の変更要求受付可と判定する（Ｓ６０５）。ここでは、撮影済画像数が２枚なので次のステップへ進む。次に、撮影済画像数よりも要求された全撮影枚数が大きいかをチェックする（Ｓ６０４）。要求された全撮影枚数が大きい場合は、変更要求受付可と判定する（Ｓ６０６）。ここでは撮影済画像数が２枚、要求された全撮影枚数が２枚で、撮影済画像数より大きくないため、次のステップへ進む。次に、撮影済画像数と要求された撮影終了枚数が一致するか否かをチェックする（Ｓ６０５）。一致している場合は、終了要求受付可（Ｓ６０７）、一致していない場合は、終了要求受付不可と判定する（Ｓ６０８）。ここでは、撮影済画像数が２枚、要求された撮影終了枚数が２枚で一致しているため、終了要求受付可と判定される。
【００８６】
本実施例により、実施例１と同様、放射線技師は容易に変更や終了操作が行えるため、部屋の移動や操作卓間の移動が低減され撮影フローの効率化を図ることができる。
【００８７】
［その他の実施例］
長尺撮影において、途中の撮影で写損が発生した場合に、途中から再撮影をしても被写体の動き等の理由により適切な長尺画像が得られない場合がある。よって、写損が発生した場合には撮影枚数の変更要求がきてもこれに応じて撮影枚数の変更処理を行わず、撮影終了部２０１７はそのまま当該撮影プロトコルを終了させる。たとえば写損判定部２０１４が、分割撮影の終了前に撮影済みの画像が写損であると判定され、その後にＸ線発生装置から前記撮影数を変更する要求を受信した場合、出力部２００８は該要求に応じた撮影数の変更要求を出力しない。なお、いわゆる分割撮影の場合には、被写体の動きによる分割撮影全体に与える影響が少ないため、写損判定部２０１４により写損と判定されても撮影制御部２００１が撮影を継続することとすればよい。
【００８８】
同様に長尺撮影の撮影プロトコルが撮影保留部２０１６により保留状態となった場合にＸ線発生装置１２００から撮影数を変更する要求を受信しても、変更要求受付可否判定部２００２は該要求に応じた撮影数の変更を受け付けない判定をする。撮影保留状態となった時点で撮影制御部２００１は当該撮影プロトコルを終了させる。いわゆる分割撮影の場合にはそのまま継続させる制御をする。
【００８９】
ただ、保留状態となった後でも、Ｘ線発生装置１２００からの撮影枚数の変更要求により、すでに撮影が終了している枚数以下に設定された場合、撮影制御部２００１は当該保留状態を解除し、当該プロトコルを終了状態とすることとする。これにより、実質的に終了しているにもかかわらず保留状態とされてしまうことが無くなり、ユーザの使い勝手が向上する。
【００９０】
このように、分割撮影の撮影数分の撮影が終了していないときに分割撮影の画像が写損であると判定された場合や、または前記分割撮影の撮影数分の撮影が終了していないときに該分割撮影のプロトコルが保留状態とされた場合、分割撮影を終了状態とする。これにより、適切な位置合わせが難しい長尺画像が生成されてしまうことを全撮影が終了前に防ぐことで、被検者の被ばく線量を低減させることができる。
【００９１】
上述の実施例において、撮影中とは、操作部からの入力に応じてプロトコル選択部２０１２がプロトコルを選択してから、原則そのプロトコルの撮影が終了するまでをいう。検査保留や検査終了となった場合には、当該プロトコルの撮影が終了したとする。
【００９２】
上述の実施形態におけるＸ線撮影装置の制御処理を情報処理装置のハードウェアとプログラムコードにより実現することもできる。この場合情報処理装置は、少なくとも１つのＣＰＵと、ＲＡＭと、ＲＯＭと、外部記憶装置と、記憶媒体ドライブと、Ｉ／Ｆ（インターフェース）とを有しそれらはバスにより相互に接続されている。また、装置には表示部であるモニタ、操作部であるキーボード及びマウスが接続されている。ＲＯＭには上述の図２乃至８、図１３、図１６、図２０ならびに図２１のフローチャートに示す処理を実行するためのコンピュータ読み取り可能なプログラムコードが格納されている。また、このプログラムにより、図９乃至図１２、図１４、図１５、図１７ならびに図１８に示す画面表示及び当該画面表示の遷移処理を実現するための表示用画像及び表示制御プログラムが格納されている。これをＲＡＭに展開しＣＰＵがプログラムコードに示す指示を実行することで、上述の実施形態の処理を実現することができる。
【００９３】
この場合、当該プログラム自体及びプログラムを記憶した記録媒体は発明を構成する。なおここでいう記録媒体には、キャッシュメモリあるいは揮発メモリも含む一時的でないハードウェアメモリも含む。
【００９４】
その他、図１、図２、図１９等に示す各機能ブロックで実行する処理を複数の回路ブロックに分けて実装しても良いし、複数のブロックを１つの回路として実装しても良い。また、Ｘ線撮影装置の機能を複数の装置に分散させて実行することとしてもよい。更には、Ｘ線撮影システムの機能を１つの装置により実現することとしてもよい。たとえば、Ｘ線撮影装置制御部１１０１を１つの制御装置とし、撮像センサ１０００、Ｘ線撮影装置操作入力部１１０２およびＸ線撮影装置表示部１１０３を制御することとしてもよい。
【００９５】
Ｘ線発生装置１２００についても同様にＸ線発生装置制御部１２０１を１つの制御装置としてもよい。この場合当該制御装置は、Ｘ線源１００２、Ｘ線発生装置駆動制御部１２０２、Ｘ線発生装置簡易表示部１２０４、Ｘ線発生装置簡易操作入力部１２０３、Ｘ線発生装置操作入力部１２０５、Ｘ線発生装置表示部１２０６を制御することとなる。
【００９６】
上述の本発明の各実施形態の説明では、本発明に係る放射線撮影装置として、放射線の一種であるＸ線を用いて被写体のＸ線画像データの撮影を行うＸ線撮影装置を適用した場合について説明を行う。また、本発明においては、このＸ線撮影装置に限らず、例えば、他の放射線（例えば、α線、β線、γ線等）を用いて被写体の放射線画像の撮影を行う放射線撮影装置に適用することも可能である。
【００９７】
更には、可視光や狭帯域光を受光し撮影する眼底カメラ等の撮影装置のキャリブレーション処理について本発明を適用することとしても良い。その場合、上述の説明の線量値は光量あるいは光強度に置き換えられる。
【００９８】
上述した実施形態は一例であり、本発明はこれらの実施形態に限定されるものではない。
【符号の説明】
【００９９】
１００  Ｘ線撮影システム
１１００  Ｘ線撮影装置
１１０１  Ｘ線撮影装置制御部
１１０２  Ｘ線撮影装置操作入力部
１２００  Ｘ線発生装置
１２０１  Ｘ線発生装置制御部
１２０５  Ｘ線発生装置操作入力部
１０００  撮像センサ
１００２  Ｘ線源
【図１】
2013039197.tif 000003
【図２】
2013039197.tif 000004
【図３】
2013039197.tif 000005
【図４】
2013039197.tif 000006
【図５】
2013039197.tif 000007
【図６】
2013039197.tif 000008
【図７】
2013039197.tif 000009
【図８】
2013039197.tif 000010
【図９】
2013039197.tif 000011
【図１０】
2013039197.tif 000012
【図１１】
2013039197.tif 000013
【図１２】
2013039197.tif 000014
【図１３】
2013039197.tif 000015
【図１４】
2013039197.tif 000016
【図１５】
2013039197.tif 000017
【図１６】
2013039197.tif 000018
【図１７】
2013039197.tif 000019
【図１８】
2013039197.tif 000020
【図１９】
2013039197.tif 000021
【図２０】
2013039197.tif 000022
【図２１】
2013039197.tif 000023